(57)【要約】      （修正有）【課題】パソコンの拡張アダプターカードの挿入口に収納可能な外形である多用途カスケードタイプの充電用アッセンブリを提供する。【解決手段】カスケードタイプの充電用アッセンブリ１０はパソコンの拡張アダプターカードの挿入口に収納可能な外形を備え、充電用アッセンブリ１０は少なくとも第一アダプター２０と、第二アダプター４０と、第三アダプター６０と、キャップ８０とを含む。第一アダプター２０の一端にはパソコンに接続する第一型ＵＳＢ伝送線２２を備え、その他端には第二型ＵＳＢコネクタ２４を備える。第二アダプター４０の一端は第二型ＵＳＢコネクタ２４と接続でき、その他端には複数種類の柱状のオスプラグ４２、４４、４６を備える。第三アダプター６０の一端は複数種類の柱状のオスプラグ４２、４４、４６と接続でき、その他端にはキャップ８０に収容される電気コネクタ６２を備える。【選択図】図１
0003147590.tif 000002
【実用新案登録請求の範囲】
【請求項１】
その一端には、パソコンと電気接続する第一型ＵＳＢ伝送線を備え、その他端には、第一の電子装置と電気接続して前記第一の電子装置に対して充電およびデータの伝送の少なくとも一方を行う第二型ＵＳＢコネクタを備える第一アダプターと、
その一端は、前記第二型ＵＳＢコネクタと接続でき、その他端には少なくとも、第二の電子装置と電気接続して前記第二の電子装置に対して充電およびデータの伝送の少なくとも一方を行う柱状のオスプラグを備える第二アダプターと、
その一端は、前記柱型のオスプラグと接続でき、その他端には電気コネクタが設けられて、第三の電子装置と電気接続して前記第三の電子装置に対して充電およびデータの伝送の少なくとも一方を行う第三アダプターと、を含むことを特徴とするカスケードタイプの充電用アッセンブリ。
【請求項２】
前記カスケードタイプの充電用アッセンブリは、前記パソコンの拡張アダプターカードの挿入口に収納可能な外形であることを特徴とする前記請求項１に記載のカスケードタイプの充電用アッセンブリ。
【請求項３】
前記拡張アダプターカードの外形がＰＣＭＣＩＡ又はＣａｒｄＢｕｓ又はＥｘｐｒｅｓｓＣＡＲＤの規格に合致することを特徴とする前記請求項２に記載のカスケードタイプの充電用アッセンブリ。
【請求項４】
前記第一アダプターの内には、前記第一型ＵＳＢ伝送線を収納する収容区と、前記パソコンの拡張アダプターカードの挿入口の内の端子を避ける凹窪部と、を備えることを特徴とする前記請求項１に記載のカスケードタイプの充電用アッセンブリ。
【請求項５】
前記第一型ＵＳＢ伝送線は、Ａ-ｔｙｐｅＵＳＢオスコネクタ及びそのケーブルを含むことを特徴とする請求項４に記載のカスケードタイプの充電用アッセンブリ。
【請求項６】
前記収容区は、複数の側壁で構成され、前記第一型ＵＳＢ伝送線のコネクタを収容するための空間と、前記側壁のうちの1つに形成され、前記第一型ＵＳＢ伝送線が手動で取り出されるための貫通孔と、前記第一型ＵＳＢ伝送線のケーブルを収納するためのＳ形の溝と、を含むことを特徴とする前記請求項５に記載のカスケードタイプの充電用アッセンブリ。
【請求項７】
前記第二型ＵＳＢコネクタがｍｉｎｉ-ＵＳＢオスコネクタ、ｍｉｃｒｏ-ＵＳＢオスコネクタ又はＢ-ｔｙｐｅＵＳＢオスコネクタであり、前記第一の電子装置が携帯電話であることを特徴とする前記請求項１に記載のカスケードタイプの充電用アッセンブリ。
【請求項８】
前記第一アダプターは更にほぞ穴を備え、前記第二アダプターには前記ほぞ穴と対応して係止されるほぞを備えることを特徴とする前記請求項１に記載のカスケードタイプの充電用アッセンブリ。
【請求項９】
前記第二アダプターの一端は前記第二型ＵＳＢコネクタと接続でき、その他端は、少なくともＤＣ柱状オスプラグ及び四本の線を備えるステレオオスプラグを含んだ複数種類の柱状のオスプラグを備えることを特徴とする請求項１に記載のカスケードタイプの充電用アッセンブリ。
【請求項１０】
前記第三アダプターの電気コネクタは４０個の端子を備えることを特徴とする前記請求項１に記載のカスケードタイプの充電用アッセンブリ。
【請求項１１】
前記カスケードタイプの充電用アッセンブリは更に、内部空間を備えて、前記第三アダプターの電気コネクタを収容するキャップを含むことを特徴する前記請求項１に記載のカスケードタイプの充電用アッセンブリ。
【考案の詳細な説明】
【技術分野】
【０００１】
本実用新案は、カスケードタイプの充電用アッセンブリに関し、具体的には、パソコンの拡張アダプターカードの挿入口に収納可能な外形である多用途カスケードタイプの充電用アッセンブリに関する。
【背景技術】
【０００２】
現在、携帯用電子装置は、例えば携帯電話、ブラックベリー(Ｂlａcｋ Ｂeｒｒy、登録商標)、ｉＰｈｏｎｅ（登録商標）/ｉＰｏｄ（登録商標）、ＭＰ３(Ｍｏｔｉｏｎ  Ｐｉｃｔｕｒｅ  Ｅｘｐｅｒｔ  Ｇｒｏｕｐ-１ Ｌａｙｅｒ３)プレーヤー、携帯用プレイステーションＰＳＰ (Ｐｌａｙ Ｓｔａｔｉｏｎ Ｐｏｒｔａｂｌｅ、登録商標)とＰＭＰ(Ｐｏｒｔａｂｌｅ Ｍｅｄｉａ Ｐｌａｙｅｒ) 携帯用マルチメディアプレーヤー等の様々な種類があるが、利用者は身の回りに一種類以上の電子装置を携帯する可能性がある。それらの携帯用電子装置が充電或いはパソコンと接続してデータの伝送が必要になる場合、利用者が身の回りに携帯用電子装置に対応する複数種類の専用充電セット又はデータ伝送線等を携帯して、前記携帯用電子装置と接続しない限り、パソコンがあったとしても、前記の携帯用電子装置と利用者のパソコンとを接続させて充電或いはデータを伝送することができない。
【０００３】
一般的なノートパソコンには拡張アダプターカードの挿入口が設けられてあり、早期の規格はＰＣＭＣＩＡ(Ｐｅｒｓｏｎａｌ Ｃｏｍｐｕｔｅｒ Ｍｅｍｏｒｙ Ｃａｒｄ Ｉｎｔｅｒｎａｔｉｏｎａｌ Ａｓｓｏｃｉａｔｉｏｎ)によって１９９０年に制定されたＰＣＭＣＩＡ-ＣａｒｄＢｕｓだったが、２００３年にＰＣＭＣＩＡによってＥｘｐｒｅｓｓＣａｒｄ標準が提出されてから、元のＰＣＭＣＩＡ-ＣａｒｄＢｕｓ標準に替わって、新しいデスクトップ及びノートパソコンの拡張アダプターカードの挿入口に使用されている。ＥｘｐｒｅｓｓＣａｒｄの標準はＥｘｐｒｅｓｓ/３４と、Ｅｘｐｒｅｓｓ/５４との二種類の形式を含み、今もう新世代のノートパソコンの共同標準になって、２００５年以後のノートパソコンには全部該当新標準である拡張アダプターカードの挿入口が配置されている。
【０００４】
現在、便利にノートパソコンのＰＣＭＣＩＡ拡張アダプターカードの挿入口に収納されるように、電子装置を拡張アダプターカードの形式に製造したものがあるが、例えば、特許文献１の「ノートパソコンの補助入力装置」の特許では、スライス状の入力キーと移動式のＵＳＢコネクタとをＰＣＭＣＩＡ拡張アダプターカードの挿入口に収納されるように製造した。なお、特許文献２の「ＰＣＭＣＩＡ挿入口に収納できる手書きボード」でも、パソコンのＰＣＭＣＩＡ拡張アダプターカードの挿入口に収納できる手書きボードを提供した。
【０００５】
しかしながら、前記のＰＣＭＣＩＡ拡張アダプターカードの挿入口に収納できる電子装置はただ単一的な入力装置であって、様々な電子装置に使用できる多種類の接続口ではない。たとえば、多重接続口を備えて様々な携帯用電子装置に対して便利に充電或いはデータの伝送を行い、平素使用しない時は、便利に携帯するようにＰＣＭＣＩＡ拡張アダプターカードの挿入口に収納できる装置を提供したら、利用者が充電器又はデータ伝送線を身につけて持っている必要はなくなる。
【特許文献１】台湾特許公告番号第Ｉ２８９２６５号
【特許文献２】台湾実用新案公告番号第Ｍ２９２１２２号
【考案の開示】
【考案が解決しようとする課題】
【０００６】
この実用新案は従来の問題を解決するため、パソコンの拡張アダプターカードの挿入口に収納可能な外形(例えば、ＥｘｐｒｅｓｓＣａｒｄ、又はＰＣＭＣＩＡ-ＣａｒｄＢｕｓ)であり、平素はパソコンの拡張アダプターカードの挿入口に収納されて、必要になる時に拡張アダプターカードの挿入口中から取り出されて、便利に携帯できるカスケードタイプの充電用アッセンブリを提供することを課題とする。
【課題を解決するための手段】
【０００７】
そこで、本考案者は従来の技術に見られる欠点に鑑みて鋭意研究を重ねた結果、下記の装置によって、本実用新案の課題が解決される点に着眼し、かかる知見に基づき本実用新案を完成させた。
【０００８】
前記の目的を達成するために、本実用新案のカスケードタイプの充電用アッセンブリは、第一アダプターと、第二アダプターと、第三アダプターと、キャップとを含む。其の中、前記の欠点を解決するために、本実用新案の主な目的は、様々な電子装置の充電或いはデータ伝送の要求によって、適当な対応コネクタになるように分解し又は組み合わせることができるカスケードタイプの充電用アッセンブリを提供することである。前記第一アダプターの一端にはパソコンと電気接続する第一型ＵＳＢ（Ｕｎｉｖｅｒｓａｌ  Ｓｅｒｉａｌ  Ｂｕｓ）伝送線を備え、その他端には対応する第一の電子装置と電気接続する第二型ＵＳＢコネクタを備えて、前記第一の電子装置に対して充電およびデータの伝送の少なくとも一方を行う。
【０００９】
前記第二アダプターの一端は前記第二型ＵＳＢコネクタと接続でき、その他端には少なくとも、第二の電子装置と電気接続する柱状のオスプラグを備えて、前記第二の電子装置に対して充電およびデータの伝送の少なくとも一方を行う。
【００１０】
前記第三アダプターの一端は前記柱状のオスプラグと接続でき、その他端には第三の電子装置と電気接続する電気コネクタが設けられて、前記第三の電子装置に対して充電およびデータの伝送の少なくとも一方を行う。前記キャップには内部空間を備え、前記第三アダプターの電気コネクタを収容して、前記電気コネクタを保護する。
【考案の効果】
【００１１】
本実用新案の主な利点は下記の通りである。 (ａ) 複数種類の携帯用電子装置の充電コネクタ及びデータ伝送線を整合して、各接続の仕方に基づいてカスケードタイプの充電用アッセンブリを組み合わせ又は分解して使用することができる；(b)拡張アダプターカード(ＥｘｐｒｅｓｓＣａｒｄ又はＰＣＭＣＩＡ-ＣａｒｄＢｕｓ)の型式に合致するように製造して，平素はノートパソコンの拡張アダプターカードの挿入口の中に収納し、必要な時にノートパソコンから取り出して，便利に携帯できる。
【考案を実施するための最良の形態】
【００１２】
本実用新案前記の目的をもっと容易に分かるために、下記のように図面を用いて具体的に説明する。
図１を参照すると、図１は本実用新案の好ましい実施例によるカスケードタイプの充電用アッセンブリ１０の立体分解図であり、主に第一アダプター２０と、第二アダプター４０と、第三アダプター６０と、キャップ８０とを含み、各種類の電子装置の充電或いはデータ伝送の要求によって、カスケードで組み合わせ或いは分解するように前記の各部分を使用する。
【００１３】
前記第一アダプター２０の一端には、第一型ＵＳＢ(ＵＳＢ)伝送線２２が伸びる。本実施例では、利用者パソコン９０のＵＳＢポート９４(図５に示すように) に電気接続するＡ-ｔｙｐｅＵＳＢオスコネクタとそのケーブルとを含む。第一アダプター２０の他端には、第一の電子装置(図に示さず)と電気接続して前記第一の電子装置と充電およびデータの伝送の少なくとも一方を行う第二型ＵＳＢコネクタ２４と、ほぞ穴３２とを備える。前記第二型ＵＳＢコネクタ２４はｍｉｎｉ-ＵＳＢオスコネクタ(ｍｉｃｒｏ-ＵＳＢ、又はＢ-ｔｙｐｅＵＳＢオスコネクタと呼ぶ)であり、前記第一の電子装置はｍｉｎｉ-ＵＳＢ接続メスコネクタを備えた携帯電話(例えば、ブラックベリー(ＢｌａｃｋＢｅｒｒｙ))である。第一アダプター２０の内には収容区２６を形成する。収容区２６は複数の側壁で構成され、前記第一型ＵＳＢ伝送線２２のオスコネクタを収納するための空間２６１と、前記側壁に形成して第一型ＵＳＢ伝送線２２が便利に手動で取り出されるための貫通孔２８と、第一型ＵＳＢ伝送線２２のケーブル(図２に示すように)を収納するためのＳ形の溝３０とを含み、或は、ケーブル巻き機構(図に示さず)で第一型ＵＳＢ伝送線２２のケーブルを収容することができる。なお、前記第一アダプター２０の先端には更に凹窪部２０２を形成し、本実用新案によるカスケードタイプの充電用アッセンブリ１０がパソコン９０の拡張アダプターカードの挿入口９２(図３に示すように) に収容されるときに、前記凹窪部２０２はパソコン９０の拡張アダプターカードの挿入口９２の端子を避ける。カスケードタイプの充電用アッセンブリ１０は、拡張アダプターカードの挿入口の退出キー(図に示さず)を用いて取り出して使用し、或いはカスケードタイプの充電用アッセンブリ１０の末端を直接に押して、拡張アダプターカードの挿入口９２(図３に示すように)から取り出して使用する。
【００１４】
前記第二アダプター４０の後端には、前記第二型ＵＳＢコネクタ２４と接続できる第二型ＵＳＢのドッキングコネクタ(図に示さず)を備え、先端には複数種類の柱状のオスプラグが設けられる。本実施例では、対応する第二の電子装置(図に示さず)と電気接続するＤＣ円形オスプラグ４２と、 ＤＣ柱状オスプラグ４４と、四本の線を備えるステレオオスプラグ４６とを含んで、前記第二の電子装置に対して充電或いはデータの伝送を行う。前記第二の電子装置はＰＳＰ携帯用プレイステーション、又は携帯電話、又はｉＰｏｄ-Ｓｈｕｆｆｌｅ ＭＰ３プレーヤーである。前記第二アダプター４０の後端には更に、前記第一アダプター４０のほぞ穴３２に対応して係止するほぞ４８を備えて、第一アダプター２０と第二アダプター４０とがカスケードで組み合わせられた後に脱落する、或は互いに転動することを防止する。
【００１５】
前記第三アダプター６０の後端には前記柱状のオスプラグと接続できて対応するメスプラグ(図に示さず)が設けられ、その先端には第三の電子装置と電気接続する電気コネクタ６２が設けられて、前記第三の電子装置に対して充電およびデータの伝送の少なくとも一方を行う。本実施例で、前記電気コネクタ６２が４０個の端子を備えたため、その中の二つの端子を用いてデータを伝送することができ、他のいずれか二つの端子は電源を伝送し、前記第三の電子装置はｉＰｈｏｎｅ又はｉＰｏｄ ９６(図５に示すように)である。
【００１６】
前記キャップ８０は、前記第三アダプター６０の先端に組み合わせて、内部空間(図に示さず)を備えて、前記第三アダプター６０の電気コネクタ６２を収容して、前記電気コネクタ６２を保護する。
【００１７】
図２を同時に参照すると、図２は本実用新案によるカスケードタイプの充電用アッセンブリ１０の立体組合図である。この完全に組み合わせたカスケードタイプの充電用アッセンブリ１０はパソコンの拡張アダプターカードの挿入口に収納可能な外形に形成され、ＰＣＭＣＩＡ、又はＣａｒｄＢｕｓ、又はＥｘｐｒｅｓｓＣＡＲＤの寸法規格に合致して、図３に示すように、平素は前記カスケードタイプの充電用アッセンブリ１０をノートパソコン９０の拡張アダプターカードの挿入口９２に収納することができ、他の電子装置が充電或いはパソコン９０とデータを伝送する必要がある時に、拡張アダプターカードの挿入口９２から取り出して使用する。
【００１８】
図４Ａを参照すると、図４Ａは本実用新案によるカスケードタイプの充電用アッセンブリ１０の組み合わせの概略図である。第一アダプター２０だけを単独に使用する必要がある時は、例えば、接続したい携帯用電子装置は、第二型ＵＳＢコネクタ２４に対するメスＵＳＢコネクタを備える。ノートパソコンのＵＳＢポートを通じて充電或いはデータを伝送するように、第一型ＵＳＢ伝送線２２のオスコネクタはノートパソコン９０のＵＳＢポート９４(図５の如く)と接続でき、第二型ＵＳＢコネクタ２４(例えば、ｍｉｎｉ-ＵＳＢオスコネクタ)はｍｉｎｉ-ＵＳＢ接続口、又はｍｉｃｒｏ-ＵＳＢ接続口、又はＢ-ｔｙｐｅＵＳＢ接続口を備える携帯用電子装置と接続できる。
【００１９】
図４Ｂを参照すると、第一アダプター２０と第二アダプター４０とを組み合わせて使用する時、第一アダプター２０の第一型ＵＳＢ伝送線２２のオスコネクタはまたノートパソコン９０のＵＳＢポート９４(図５に示すように)に接続させるが、第二アダプター４０のＤＣ柱状オスプラグ４２と、柱状オスプラグ４４と、四本の線を備えるステレオオスプラグ４６とはそれぞれ適当な携帯用電子装置に接続させることができる。例えば、ＤＣ柱状オスプラグ４２は携帯用プレイステーションＰＳＰ(Ｐｏｒｔａｂｌｅ Ｐｌａｙ Ｓｔａｔｉｏｎ)と接続でき、ＤＣ柱状オスプラグ４４はノキア(Ｎｏｋｉａ)携帯電話と接続でき、四本の線を備えるステレオオスプラグ４６はｉＰｏｄ-Ｓｈｕｆｆｌｅ ＭＰ３と接続することができて、ノートパソコンのＵＳＢポートを通じて充電或いはデータを伝送する。
【００２０】
図４Ｃ及び図５を参照すると、第一アダプター２０と、第二アダプター４０と、第三アダプター６０とを組み合わせる時、前記第一アダプター２０の第一型ＵＳＢ伝送線２２のオスコネクタはノートパソコン９０のＵＳＢポート９４に接続でき、第三アダプター６０の電気コネクタ６２はｉＰｈｏｎｅ又はｉＰｏｄに接続でき，ノートパソコン９０上のＵＳＢポート９４を通じて充電或いはデータを伝送する。例えば、図５に示したｉＰｏｄ
ＭＰ３プレーヤー９６は本実用新案によるカスケードタイプの充電用アッセンブリ１０を用いて充電およびデータの伝送の少なくとも一方を行い、使用する時に先ず第一アダプター２０と、第二アダプター４０と、第三アダプター６０とを組み合わせた後、電気コネクタ６２をｉＰｏｄ ＭＰ３プレーヤー９６に接続させて、第一型ＵＳＢ伝送線２２のオスコネクタをノートパソコン９０のＵＳＢポート９４に接続してから、充電およびデータの伝送の少なくとも一方を行う。
【００２１】
上記の描写はただ本実用新案による実施例であり、本実用新案の構想を逸脱することなく、本実用新案に対して簡単な修正、或いは変更したものは本実用新案の技術構想の範囲に含まれることは明らかである。
【図面の簡単な説明】
【００２２】
【図１】本実用新案によるカスケードタイプの充電用アッセンブリの立体分解図である。
【図２】本実用新案によるカスケードタイプの充電用アッセンブリの立体組合図である。
【図３】本実用新案によるカスケードタイプの充電用アッセンブリがノートパソコンの拡張アダプターカードの挿入口に収納された概略図である。
【図４Ａ】本実用新案によるカスケードタイプの充電用アッセンブリの組み合わせの概略図である。
【図４Ｂ】本実用新案によるカスケードタイプの充電用アッセンブリの組み合わせの概略図である。
【図４Ｃ】本実用新案によるカスケードタイプの充電用アッセンブリの組み合わせの概略図である。
【図５】ｉＰｏｄ ＭＰ３プレーヤーが本実用新案によるカスケードタイプの充電用アッセンブリを介して、ノートパソコンのＵＳＢポートに接続するように充電して、或いはデータを伝送する概略図である。
【符号の説明】
【００２３】
１０  カスケードタイプの充電用アッセンブリ
２０  第一アダプター
２２  第一型ＵＳＢ(Ｕｎｉｖｅｒｓａｌ  Ｓｅｒｉａｌ  Ｂｕｓ)伝送線  
２４  第二型ＵＳＢコネクタ
２６  収容区
２８  貫通孔
３０  Ｓ形の溝
３２  ほぞ穴
４０  第二アダプター
４２、４４  ＤＣ柱状オスプラグ
４６  ステレオオスプラグ
４８  ほぞ
６０  第三アダプター
６２  電気コネクタ
８０  キャップ  
９０  利用者パソコン        
９２  拡張アダプターカードの挿入口
９４  ＵＳＢポート
９６  ｉＰｏｄ ＭＰ３プレーヤー
２０２  凹窪部
２６１  空間
【図１】
0003147590.tif 000003
【図２】
0003147590.tif 000004
【図３】
0003147590.tif 000005
【図４Ａ】
0003147590.tif 000006
【図４Ｂ】
0003147590.tif 000007
【図４Ｃ】
0003147590.tif 000008
【図５】
0003147590.tif 000009